(57)【要約】【課題】太陽電池モジュール設置装置における固定金具装置を提供する。【解決手段】固定金具装置(15)は、架台(11)に搭載される太陽電池モジュール(M)の端部の上側に配置される押さえ金具(16)と、架台の上壁(14,14)の下側に配置されるナット金具(17)と、押さえ金具を挿通してナット金具に螺着される頭付きボルト(18)を備え、押さえ金具(16)と架台(11)の間に太陽電池モジュール(M)を挟持する構成とされ、架台(11)の上壁(14,14)と押さえ金具(16)の間に多機能金具(23)を介装している。多機能金具(23)は、頭付きボルトのネジ軸部(18b)を一側の開口部(27a)から切欠き通路(27)を介して挿通孔(26)に進入させ、爪片(28)をネジ軸部(18b)のネジ谷部に螺進自在に係止することにより、頭付きボルト(18)を架台(11)の上方に引き上げた任意の高さに起立保持する。【選択図】図８
2013087579.tif 000002
【特許請求の範囲】
【請求項１】
Ｘ方向に配置される架台(11)を前記Ｘ方向に交差するＹ方向に間隔をあけて屋根上に配設し、Ｙ方向に隣り合う架台に太陽電池モジュール(M)を架設状に搭載すると共に、複数の太陽電池モジュール(M)(M)を前記Ｘ方向に配置した状態で、前記太陽電池モジュールのＸ方向の端部を前記架台(11)に固定する固定金具装置(15)を設けており、
前記架台(11)は、底壁(12)と両側壁(13,13)を備え、両側壁の上端から内側に折曲された一対の上壁(14,14)を備えると共に、該上壁の間に前記Ｘ方向に延びるスリット(S)を形成し、
前記固定金具装置(15)は、前記太陽電池モジュール(M)の端部の上側に配置される押さえ金具(16)と、前記架台の上壁(14,14)の下側に配置されるナット金具(17)と、前記押さえ金具を挿通して前記ナット金具に螺着される頭付きボルト(18)を備え、前記押さえ金具(16)と架台(11)の間に太陽電池モジュール(M)を挟持する構成において、
前記架台(11)の上壁(14,14)と押さえ金具(16)の間に多機能金具(23)を介装しており、
前記多機能金具(23)は、前記スリット(S)を横断して架台(11)の上壁(14,14)に跨設される断面門形の保持部(24)と、該保持部(24)の両側から前記上壁(14,14)に沿って延びる翼片部(25,25)を備え、前記保持部(24)に前記頭付きボルトのネジ軸部(18b)を挿通させる挿通孔(26)を開設し、一方の翼片部(25)に形成された開口部(27a)を前記挿通孔(26)に連通する切欠き通路(27)を形成すると共に、前記挿通孔(26)に爪片(28)を設けており、
架台(11)の上壁(14,14)の下側に内装されたナット金具(17)と、押さえ金具(16)に挿通した頭付きボルト(18)を相互に螺合した組付け状態で、前記切欠き通路(27)を介してネジ軸部(18b)を挿通孔(26)に位置させることにより、該多機能金具(23)を押さえ金具(16)と架台(11)の間に設置すると共に、頭付きボルト(18)を架台(11)の上方に引き上げた任意の位置で前記爪片(28)をネジ軸部(18b)のネジ谷部に螺進自在に係止するように構成して成ることを特徴とする太陽電池モジュール設置装置における固定金具装置。
【請求項２】
前記固定金具装置(15B)により、Ｘ方向に隣接する太陽電池モジュール(M)(M)の相対向する端部を架台(11)に固定する構成において、
前記多機能金具(23b)の翼片部(25)に太陽電池モジュール(M)の下面と架台(11)の上壁の少なくとも一方に圧接される突部(30)を設け、該多機能金具(23b)によりアース金具を構成して成ることを特徴とする請求項１に記載の太陽電池モジュール設置装置における固定金具装置。
【請求項３】
前記固定金具装置(15A,15b)により、太陽電池モジュール(M)のＸ方向の開放端部を架台(11)に固定し、該開放端部に臨むカバー部材(19a,19b)を設ける構成において、
前記カバー部材を係止固定する起立係止片(31)を前記多機能金具(23a)の一方の翼片部(25)に折曲形成して成ることを特徴とする請求項１に記載の太陽電池モジュール設置装置における固定金具装置。
【請求項４】
前記多機能金具(23)は、前記保持部(24)の側面に太陽電池モジュール(M)の端部側面を当接させるストッパ面(29)を形成して成ることを特徴とする請求項１、２又は３に記載の太陽電池モジュール設置装置における固定金具装置。
【発明の詳細な説明】
【技術分野】
【０００１】
本発明は、太陽光発電を行う太陽電池モジュールを屋根上に設置するための太陽電池モジュール設置装置における固定金具装置に関する。
【背景技術】
【０００２】
従来、屋根上に太陽電池モジュールを設置するための装置は、Ｘ方向に配置される架台を前記Ｘ方向に交差するＹ方向に間隔をあけて屋根上に列設した状態で、Ｙ方向に隣り合う架台に太陽電池モジュールを架設状に搭載すると共に、複数の太陽電池モジュールを前記Ｘ方向に配置し、太陽電池モジュールのＸ方向の端部を前記架台に固定する固定金具装置を有している。
【先行技術文献】
【特許文献】
【０００３】
【特許文献１】特開２００１−１０７５１８号公報
【発明の概要】
【発明が解決しようとする課題】
【０００４】
従来技術に基づく比較例を図１４に示すように、架台１は、底壁２と両側壁３、３を備え、両側壁の上端から内側に折曲された一対の上壁４、４を備えると共に、該上壁の間に前記Ｘ方向に延びるスリットＳを形成している。これに対し、固定金具装置５は、太陽電池モジュールＭの端部の上側に配置される押さえ金具６と、前記架台１の上壁４、４の下側に配置されるナット金具７と、前記押さえ金具６を挿通して前記ナット金具７に螺着される頭付きボルト８を備え、前記押さえ金具６と架台１の間に太陽電池モジュールＭを挟持するように構成されている。
【０００５】
太陽電池モジュールの設置作業は、前記架台１を屋根上に固定配置した後、図１４（Ａ）に示すように、頭付きボルト８を押さえ金具６に挿通させると共に、該頭付きボルト８のネジ軸部８ｂにナット金具７を螺合し、頭付きボルト８と押さえ金具６とナット金具７を組付けた状態で、前記ネジ軸部８ｂを架台１のスリットＳに挿入し、所定の位置まで移動させてセットする。その後、架台１の上に太陽電池モジュールＭを載せ、図１４（Ｂ）に示すように、押さえ金具６を持ち上げつつ、太陽電池モジュールＭの端部が押さえ金具６の下側に臨んで位置決めされる取付所定位置まで該太陽電池モジュールＭを移動し、その状態から、レンチ等の工具で頭付きボルト８を回転し、ナット金具７を架台１の上壁４、４の下面に圧接することにより締結する。
【０００６】
ところが、架台１の上に載せた太陽電池モジュールＭを上述のような所定取付位置に移動する際、同時に、押さえ金具６を持ち上げなければならないので、少人数による作業が困難である。
【０００７】
上記セット状態の固定金具装置５は、押さえ金具６が上壁４、４に載置され、頭付きボルト８がナット金具７を底壁２に当接するように自重で下降している。従って、上述のように押さえ金具６を持ち上げる作業は、先ず、押さえ金具６を頭付きボルト８の頭部８ａに当接するまで引き上げ、引き続き、ナット金具７が上壁４、４の下面に当接するまで押さえ金具６と共に頭付きボルト８を引き上げる動作を要するため、作業者が片手で迅速に行うことは必ずしも容易でない。
【０００８】
そして、押さえ金具６は、傘部６ａの下側にストッパ面６ｂを備え、太陽電池モジュールＭの端部の側面を当接可能に形成しているが、遊挿した頭付きボルト８に対して自由に傾くので、前記ストッパ面６ｂが傾斜した状態で締結されやすく、取付不良を生じるおそれがある。
【課題を解決するための手段】
【０００９】
本発明は、上記課題を解決した太陽電池モジュール設置装置における固定金具装置を提供するものであり、その手段として構成したところは、Ｘ方向に配置される架台を前記Ｘ方向に交差するＹ方向に間隔をあけて屋根上に配設し、Ｙ方向に隣り合う架台に太陽電池モジュールを架設状に搭載すると共に、複数の太陽電池モジュールを前記Ｘ方向に配置した状態で、前記太陽電池モジュールのＸ方向の端部を前記架台に固定する固定金具装置を設けており、前記架台は、底壁と両側壁を備え、両側壁の上端から内側に折曲された一対の上壁を備えると共に、該上壁の間に前記Ｘ方向に延びるスリットを形成し、前記固定金具装置は、前記太陽電池モジュールの端部の上側に配置される押さえ金具と、前記架台の上壁の下側に配置されるナット金具と、前記押さえ金具を挿通して前記ナット金具に螺着される頭付きボルトを備え、前記押さえ金具と架台の間に太陽電池モジュールを挟持する構成において、前記架台の上壁と押さえ金具の間に多機能金具を介装しており、前記多機能金具は、前記スリットを横断して架台の上壁に跨設される断面門形の保持部と、該保持部の両側から前記上壁に沿って延びる翼片部を備え、前記保持部に前記頭付きボルトのネジ軸部を挿通させる挿通孔を開設し、一方の翼片部に形成された開口部を前記挿通孔に連通する切欠き通路を形成すると共に、前記挿通孔に爪片を設けており、架台の上壁の下側に内装されたナット金具と、押さえ金具に挿通した頭付きボルトを相互に螺合した組付け状態で、前記切欠き通路を介してネジ軸部を挿通孔に位置させることにより、該多機能金具を押さえ金具と架台の間に設置すると共に、頭付きボルトを架台の上方に引き上げた任意の位置で前記爪片をネジ軸部のネジ谷部に螺進自在に係止するように構成して成る点にある。
【００１０】
本発明に係る多機能金具の１実施形態は、前記固定金具装置により、Ｘ方向に隣接する太陽電池モジュールの相対向する端部を架台に固定する構成において、多機能金具の翼片部に太陽電池モジュールの下面と架台の上壁の少なくとも一方に圧接される突部を設け、該多機能金具によりアース金具を構成している。
【００１１】
本発明に係る多機能金具の別の実施形態は、前記固定金具装置により、太陽電池モジュールのＸ方向の開放端部を架台に固定し、該開放端部に臨むカバー部材を設ける構成において、前記カバー部材を係止固定する起立係止片を多機能金具の一方の翼片部に折曲形成している。
【００１２】
多機能金具は、前記保持部の側面に太陽電池モジュールの端部側面を当接させるストッパ面を形成することが好ましい。
【発明の効果】
【００１３】
本発明によれば、押さえ金具１６とナット金具１７と頭付きボルト１８を組付けて成るユニットＵを架台１１に取付セットした状態で、架台１１と押さえ金具１６の間に介装された多機能金具２３により、頭付きボルト１８を架台１１の上方に所定高さとなるように起立保持することができるので、太陽電池モジュールＭの端部を傘部２０の下側の所定位置に移動する作業を容易にする。
【００１４】
この際、多機能金具２３は、開口部２７ａから挿通孔２６に連通された切欠き通路２７を設けているので、先に前記ユニットＵを架台１１に沿ってスライド移動することにより所定位置に取付セットした後、分離独立した多機能金具２３を取付セット状態の頭付きボルト１８に容易に装着することができ、この点においても作業が容易である。
【００１５】
しかも、挿通孔２６に設けた爪片２８をネジ軸部１８ｂのネジ谷部に螺進自在に係止する構成とされているので、頭付きボルト１８を任意の高さに起立保持した状態で、前記爪片２８に対する螺進を介して、頭付きボルト１８をナット金具１７に螺着し締結することを可能にする。
【００１６】
そして、多機能金具２３は、請求項２のように構成することにより、アース金具として提供することができ、請求項３のように構成することにより、カバー部材１９ａ、１９ｂの係止金具として提供することができ、多目的機能を具備させることができるという効果がある。
【００１７】
更に、多機能金具２３の保持部２４にストッパ面２９を形成することにより、太陽電池モジュールＭの端面の下側を前記ストッパ面２９に当接させ、上側を押さえ金具１６のストッパ面１６ａに当接させることが可能になるので、移動時の太陽電池モジュールＭの端面が押さえ金具１６を押し込んでしまうことはなく、押さえ金具１６が傾斜した偏位姿勢状態で固定される取付不良を生じないという実益がある。
【図面の簡単な説明】
【００１８】
【図１】本発明に係る固定金具装置を使用した太陽電池モジュール設置装置の１例を示す斜視図である。
【図２】本発明に係る固定金具装置を使用した太陽電池モジュール設置装置の別の例を示す斜視図である。
【図３】太陽電池モジュール設置装置の前端部に使用される前端部用の固定金具装置の実施形態を示す分解斜視図である。
【図４】太陽電池モジュール設置装置の中間部に使用される中間部用の固定金具装置の実施形態を示す分解斜視図である。
【図５】太陽電池モジュール設置装置の後端部に使用される後端部用の固定金具装置の実施形態を示す分解斜視図である。
【図６】多機能金具の実施形態を示しており、（Ａ）は中間部用の固定金具装置に使用される多機能金具の実施形態を示す斜視図、（Ｂ）は端部用の固定金具装置に使用される多機能金具の実施形態を示す斜視図、（Ｃ）は多機能金具の挿通孔とネジ軸部の関係を示す平面図である。
【図７】中間部用の固定金具装置の取付セットの方法を示す斜視図である。
【図８】架台に取付セットした中間部用の固定金具装置により太陽電池モジュールを固定する方法を示す断面図である。
【図９】架台に取付セットした端部用の固定金具装置により太陽電池モジュールを固定する方法を示す断面図である。
【図１０】架台に複数の太陽電池モジュールを設置し、固定金具装置により取付固定した状態を示す断面図である。
【図１１】中間部用の固定金具装置に使用される多機能金具の形状を示しており、（Ａ）は平面図、（Ｂ）は正面図、（Ｃ）は底面図、（Ｄ）は背面図、（Ｅ）は右側面図、（Ｆ）はＤ−Ｄ断面図である。
【図１２】端部用の固定金具装置に使用される多機能金具の形状を示しており、（Ａ）は平面図、（Ｂ）は正面図、（Ｃ）は底面図、（Ｄ）は背面図、（Ｅ）は右側面図、（Ｆ）はＥ−Ｅ断面図である。
【図１３】多機能金具の別の実施例を示しており、（Ａ）は斜視図、（Ｂ）は正面図、（Ｃ）は底面図である。
【図１４】本発明に対する比較例を示しており、（Ａ）は固定金具装置を架台に取付セットする方法を示す斜視図、（Ｂ）は固定金具装置により太陽電池モジュールを架台に取付固定した状態を示す斜視図である。
【発明を実施するための形態】
【００１９】
以下図面に基づいて本発明の好ましい実施形態を詳述する。
【００２０】
［全体構成］
図１又は図２に示すように、太陽電池モジュールの設置装置は、Ｘ方向に配置される架台１１を前記Ｘ方向に交差するＹ方向に間隔をあけて屋根上に列設すると共に、Ｙ方向に隣り合う架台１１、１１にパネル形態とされた太陽電池モジュールＭを架設状に搭載した状態で、前記太陽電池モジュールＭのＸ方向の端部を前記架台１１に固定する固定金具装置１５を設けている。
【００２１】
架台１１を屋根上に固定設置するための手段は、従来公知の技術であり、本発明の特徴を構成するものではないから、詳細を説明するが、屋根が図例のような洋瓦を敷設している場合は、ボルトによる直接的な固設や、支持金具を介した間接的な固設等が可能であり、和瓦を敷設している場合は、該瓦に一体形成された取付部に対する直接的な固設や、支持金具を介した間接的な固設等が可能であり、その手段が限定されるものではない。
【００２２】
前記架台１１は、図３ないし図５に示すように、鋼板を折曲した概ね溝型の中空体を構成し、底壁１２と両側壁１３、１３を備え、両側壁の上端から内側に折曲された一対の上壁１４、１４を備えると共に、該上壁の間に前記Ｘ方向に延びるスリットＳを形成している。
【００２３】
図１に示す実施形態の場合、架台１１は、短尺の中空体により構成され、Ｘ方向に複数個の架台１１を配置した１列を１組とする架台群を、Ｙ方向に間隔をあけて列設するように構成している。これに対し、図２に示す実施形態の場合、架台１１は、長尺の中空体により構成され、Ｘ方向に配置した長い１本の架台１をＹ方向に間隔をあけて列設するように構成している。従って、本発明の架台１１は、このような短尺又は長尺の何れに形成しても良い。
【００２４】
図示実施形態の場合、図１にＡａ、Ｂａ、Ｃａで示し、図２にＡｂ、Ｂｂ、Ｃｂで示すように、固定金具装置１５は、Ｘ方向に隣接して配置される複数の太陽電池モジュールＭのうち、前端部（屋根勾配の下り側の端部）に位置する太陽電池モジュールＭの開放端部を架台１１に固定する前端部用の固定金具装置１５Ａと、中間部に位置して隣接する太陽電池モジュールＭ、Ｍの対向端部を架台１１に固定する中間部用の固定金具装置１５Ｂと、後端部（屋根勾配の上り側の端部）に位置する太陽電池モジュールＭの開放端部を架台１１に固定する後端部用の固定金具装置１５Ｃにより構成されており、Ｘ方向に関する架台１１の前端部には前側カバー１９ａが配置され、後端部には後側カバー１９ｂが配置される。尚、図１に示す短尺の架台１１を使用した設置装置の場合は、前側及び後側カバー１９ａ、１９ｂも短尺に形成され、図２に示す長尺の架台１１を使用した設置装置の場合は、前側及び後側カバー１９ａ、１９ｂも長尺に形成されているが、本発明を限定するものではない。
【００２５】
［固定金具装置の構成］
図３ないし図５に示すように、前記固定金具装置１５（１５Ａ、１５Ｂ、１５Ｃ）は、太陽電池モジュールＭの端部の上側に配置される押さえ金具１６と、前記架台１１の上壁１４、１４の下側に配置されるナット金具１７と、前記押さえ金具１６を挿通して前記ナット金具１７に螺着される頭付きボルト１８を備え、前記押さえ金具１６と架台１１の間に太陽電池モジュールＭを挟持するように構成されている。前記頭付きボルト１８は、頭部１８ａからネジ軸部１８ｂを延設している。前記押さえ金具１６は、傘部２０の下側に中空矩形断面のスペーサ部２１を一体形成し、該スペーサ部２１の両側面にストッパ面１６ａを形成し、前記傘部２０及びスペーサ部２１に前記ネジ軸部１８ｂを遊挿させる遊挿孔２２ａ、２２ｂを貫設している。前記ナット金具１７は、平板状の鋼板の両側に下向きリブ１７ａ、１７ａを折曲形成すると共に中央部に雌ネジ孔１７ｂを設けている。そして、本発明の固定金具装置１５（１５Ａ、１５Ｂ、１５Ｃ）は、更に、前記架台１１の上壁１４、１４と押さえ金具１６の間に介装される多機能金具２３を備えている。
【００２６】
図示実施形態において、押さえ金具１６とナット金具１７と頭付きボルト１８は、前記固定金具装置１５Ａ、１５Ｂ、１５Ｃの間において同一構成のものが共通部品として使用されるが、多機能金具２０は、前端部用の固定金具装置１５Ａ及び後端部用の固定金具装置１５Ｃに使用される端部用の多機能金具２３ａと、中間部用の固定金具装置１５Ｂに使用される中間部用の多機能金具２３ｂの２種類により構成されている。
【００２７】
［多機能金具の構成］
図３ないし図６に示すように、多機能金具２３は、薄い鋼板を折曲することにより形成されており、前記スリットＳを横断して架台１１の上壁１４、１４に跨設される頂壁２４ａと両側壁２４ｂ、２４ｂを備えた断面門形の保持部２４と、前記両側壁２４ｂ、２４ｂの下端縁から前記上壁１４、１４に沿って延びる翼片部２５、２５を備え、前記頂壁２４ａに頭付きボルト１８のネジ軸部１８ｂを挿通させる挿通孔２６を開設し、一方の翼片部２５に形成された開口部２７ａから前記挿通孔２６に連通する切欠き通路２７を形成すると共に、前記挿通孔２６に爪片２８を設けている。この際、前記両側壁２４ｂ、２４ｂは、後述するように太陽電池モジュールＭの端面を当接可能とするストッパ面２９を構成する。
【００２８】
図６（Ｃ）に示すように、前記切欠き通路２７は、ネジ軸部１８ｂの直径よりも十分に広い幅Ｗを有するように形成され、頂壁２４ａに位置して挿通孔２６に向かい次第に幅を減じるテーパ縁２７ｂを形成している。挿通孔２６は、ネジ軸部１８ｂの直径よりも十分に大きい内径を有するが、少なくとも前記テーパ縁２７ｂに連なるように爪片２８を形成し、複数配置された爪片２８の先端縁にネジ軸部１８ｂのネジ谷部に沿う円弧縁２８ａを形成している。
【００２９】
多機能金具２３に関する上記構成は、端部用の多機能金具２３ａと中間部用の多機能金具２３ｂに共通する構成であるが、端部用の多機能金具２３ａと中間部用の多機能金具２３ｂは、次の点において相違している。即ち、中間部用の多機能金具２３ｂは、図６（Ａ）に示すように、前記翼片部２５、２５の隅部に位置して上向き又は下向きに突出する突部３０を設けており、これにより後述するアース金具を構成する。尚、図６（Ａ）の場合、翼片部２５、２５の隅部の近傍を上向き又は下向きにプレス成形することによりボス状の突部３０を形成しているが、図１３に示すように、翼片部２５、２５の隅部のコーナ部分を上向き又は下向きに折曲することにより三角片状の突部３０を形成しても良い。
【００３０】
上記の中間部用の多機能金具２３ｂに対して、端部用の多機能金具２３ａは、図６（Ｂ）に示すように、開口部２７ａが設けられた一方の翼片部２５の自由端部を上向きに折曲することにより起立係止片３１、３１を形成し、これによりカバー係止手段を構成する。
【００３１】
［固定金具装置による太陽電池モジュールの固定方法］
（中間部用の固定金具装置１５Ｂによる固定）
図７は、中間部用の固定金具装置１５Ｂを架台１１に取付セットする方法を示し、図８は、架台１１に取付セットした中間部用の固定金具装置１５Ｂにより太陽電池モジュールＭを固定する方法を示している。
【００３２】
図７に示すように、押さえ金具１６とナット金具１７と頭付きボルト１８の３者は、上述のように組付けられたユニットＵを構成し、この状態で屋根上に固設された架台１１に装着される。図示の矢印Ｆ１で示すように、ネジ軸部１８ｂを架台１１のスリットＳに挿入し、架台１１の上壁１４、１４の下側にナット金具１７を配置すると共に上側に押さえ金具１６を配置した状態で、ユニットＵを架台１１の長手方向に移動させ、所定位置にセットする。次いで、押さえ金具１６を持ち上げ、図示の矢印Ｆ２で示すように、多機能金具２３ａを押さえ金具１６と架台１１の上壁１４、１４の間に介装する。
【００３３】
多機能金具２３ａは、開口部２７ａをネジ軸部１８ｂに臨ませた状態で移動すると、ネジ軸部１８ｂが切欠き通路２７を通過して挿通孔２６に至り、多機能金具２３ａの保持部２４を押さえ金具１６のスペーサ部２１の下側に合致させられる。
【００３４】
図６（Ｃ）に示すように、ネジ軸部１８ｂは、切欠き通路２７からテーパ縁２７ｂに案内されつつ該ネジ軸部１８ｂと挿通孔２６の中心Ｑを一致するように進入し、進入と同時に、爪片２８をネジ軸部１８ｂのネジ谷部に係止する。この際、図例のように、少なくともテーパ縁２７ｂに連設された爪片２８、２８を前記中心Ｑよりも切欠き通路２７の側に偏位して設けておけば、ネジ軸部１８ｂが切欠き通路２７に向けて抜け出ることを防止できる。爪片２８がネジ谷部に係止した状態で、頭付きボルト１８を回転すると、ネジ軸部１８ｂは爪片２８に対して螺進螺退自在とされているので、図８に示すように、太陽電池モジュールＭの上下厚さＴを目安として、頭付きボルト１８の頭部１８ａが前記厚さＴよりもやや上方に位置するように調整し、これにより中間部用の固定金具装置１５Ｂの取付セットが完了する。
【００３５】
そこで、取付セットされた固定金具装置１５Ｂにより太陽電池モジュールＭを固定するに際しては、図８に示すように、多機能金具２３ａの保持部２４に載置された押さえ金具１６を頭付きボルト１８の頭部１８ａに当接するまで持ち上げると共に、架台１１に仮置きした太陽電池モジュールＭ、Ｍを図示の矢印Ｒで示すように、固定金具装置１５Ｂに向けて移動させた後、押さえ金具１６の傘部２０を太陽電池モジュールＭの端部上側に当接させた状態で、レンチ等の工具により頭付きボルト１８をナット金具１７に締結すれば、太陽電池モジュールＭの端部が押さえ金具１６と架台１１の間に挟着され固定される。
【００３６】
押さえ金具１６を持ち上げるとき、頭付きボルト１８は、多機能金具２３ａに係止固定されており、頭部１８ａを所定高さ位置とした状態で起立保持されているので、作業を容易とする。
【００３７】
押さえ金具１６を持ち上げた状態で、太陽電池モジュールＭを矢印Ｒのように移動させたとき、該太陽電池モジュールＭの端面は、下側を多機能金具２３ａのストッパ面２９に当接し、上側を押さえ金具１６のストッパ面１６ａに当接するので、押さえ金具１６が頭付きボルト１８に対して傾くことはなく、ストッパ面１６ａが傾斜した状態で取付けられるような取付不良は生じない。
【００３８】
取付固定された太陽電池モジュールＭと架台１１の間には、多機能金具２３ａの翼片部２５が挟着され、突部３０を太陽電池モジュールＭ又は架台１１に食込み状に係止するので、太陽電池モジュールＭと架台１１の間の導電性を確保し、太陽電池モジュールＭのアースを良好とする。
【００３９】
（端部用の固定金具装置１５Ａ、１５Ｃによる固定）
端部用の固定金具装置１５Ａ、１５Ｃにより太陽電池モジュールＭの開放端部を固定する方法のうち、押さえ金具１６とナット金具１７と頭付きボルト１８の３者を組付けたユニットＵを架台１１の所定位置にセットする方法は、上述の固定金具装置１５Ｂの場合と同様であるから、説明を省略し、上述と異なる点を説明する。
【００４０】
図９に示すように、図示実施形態の場合、前側カバー１９ａ及び後側カバー１９ｂは同一構成のものが使用され、それぞれカバー本体３２の内側に中空筒部３３を形成し、該中空筒部３３の下面に下向きの凸形部３４を形成すると共に、上面にリップ部３５を形成している。
【００４１】
そこで、上述と同様の方法で、架台１１のＸ方向の前端部と後端部にそれぞれ固定金具装置１５Ａ、１５Ｃを構成するユニットＵ、Ｕ（押さえ金具１６とナット金具１７と頭付きボルト１８のアセンブリユニット）を取付セットする。この際、図示省略しているが、軒先側の架台１１の端部には、該架台１１と一体に形成した爪により形成されたストッパ手段、又は該架台１１の端部に装着したキャップにより形成されたストッパ手段が設けられており、軒先側に向けて下り勾配で傾斜した架台１１に対してスライド可能なユニットＵのナット金具１７を受止めるように構成することが好ましい。
【００４２】
前記ユニットＵを取付セットした状態で、各ユニットＵにおける押さえ金具１６と架台１１の間に多機能金具２３ｂが介装される。それぞれの多機能金具２３ｂは、開口部２７ａと起立係止片３１を有する一方の翼片部２５をＸ方向の外側（それぞれ前後方向）に向かう姿勢として、同方向に移動することにより、頭付きボルト１８のネジ軸部１８ｂを挿通孔２６に位置させると共に、爪片２８をネジ谷部に係止させ、頭付きボルト１８の頭部１８ａが所定高さとなるように起立保持する。
【００４３】
太陽電池モジュールＭは、上述と同様に、端部側面を多機能金具２３ｂのストッパ面２９と押さえ金具１６のストッパ面１６ａに当接される。
【００４４】
前側カバー１９ａ及び後側カバー１９ｂは、それぞれの凸形部３４をそれぞれの多機能金具２３ｂの起立係止片３１と側壁２４ｂの間に嵌入され、リップ部３５を押さえ金具１６の傘部２０の下側に位置させられる。
【００４５】
この状態から、レンチ等の工具により頭付きボルト１８をナット金具１７に締結すれば、太陽電池モジュールＭの開放端部と前側カバー１９ａ及び後側カバー１９ｂのそれぞれが押さえ金具１６と架台１１の間に挟着され固定される。多機能金具２３ｂは、起立係止片３１を前側カバー１９ａ及び後側カバー１９ｂの凸形部３４に外側から係止し、これにより該カバー１９ａ、１９ｂが強風等に煽られて脱落することを防止する。
【００４６】
上記の結果、図１０に示すように、太陽電池モジュールＭ、Ｍは、固定金具装置１５Ａ、１５Ｂ、１５Ｃにより、架台１１の上に、堅固に取付けられ、前後端部を前側カバー１９ａ及び後側カバー１９ｂにより好適に被われる。
【符号の説明】
【００４７】
Ｍ  太陽電池モジュール
Ｓ  スリット
１１  架台
１２  底壁
１３  側壁
１４  上壁
１５、１５Ａ、１５Ｂ、１５Ｃ  固定金具装置
１６  押さえ金具
１６ａ  ストッパ面
１７  ナット金具
１７ｂ  雌ネジ孔
１８  頭付きボルト
１８ａ  頭部
１８ｂ  ネジ軸部
１９ａ  前側カバー
１９ｂ  後側カバー
２０  傘部
２１  スペーサ部
２２ａ、２２ｂ  遊挿孔
２３、２３ａ、２３ｂ  多機能金具
２４  保持部
２４ａ  頂壁
２４ｂ  側壁
２５  翼片部
２６  挿通孔
２７  切欠き通路
２７ａ  開口部
２７ｂ  テーパ縁
２８  爪片
２８ａ  円弧縁
２９  ストッパ面
３０  突部
３４  凸形部
【図１】
2013087579.tif 000003
【図２】
2013087579.tif 000004
【図３】
2013087579.tif 000005
【図４】
2013087579.tif 000006
【図５】
2013087579.tif 000007
【図６】
2013087579.tif 000008
【図７】
2013087579.tif 000009
【図８】
2013087579.tif 000010
【図９】
2013087579.tif 000011
【図１０】
2013087579.tif 000012
【図１１】
2013087579.tif 000013
【図１２】
2013087579.tif 000014
【図１３】
2013087579.tif 000015
【図１４】
2013087579.tif 000016